(57)【要約】【課題】  ごみを圧縮可能であり、構成が簡素で組み立てが容易なごみ箱を提供する【解決手段】  ごみ箱の容器は内容器２１及び外容器１１から構成される。内容器２１は、外容器１１の格納空間１２に収容され、内部にごみ収容空間２３を有する。蓋３１は、外容器１１の上部に装着され、中央に開口部３３を有する。ごみ収容空間２３には、上下方向に往復移動可能かつ復元機構４１で上方向へ復元可能なごみ圧縮ペダル５１が設けられる。このごみ箱では、ごみ圧縮ペダル５１を足で踏み込むことによりごみ圧縮ペダル５１の底部でごみを圧縮することができる。また、ごみ箱の容器を構成する部材が少なく、構成が簡素である。また、復元機構４１を蓋３１に組み付けるとき、支持部材４８を蓋３１の底部に取り付けることでローラー４５も同時に固定することができる。従って、組み立てが容易で、組み立て工数を減らすことできる。【選択図】  図１
0003171642.tif 000002
【実用新案登録請求の範囲】
【請求項１】
上方向に開口する格納空間を有する有底筒状の外容器と、
上下方向に貫通する筒状に形成され、前記外容器の前記格納空間に収容され、内部にごみ収容空間を有する内容器と、
前記外容器の上部に、前記内容器の前記ごみ収容空間を開閉可能に装着され、中央に開口部を有する蓋と、
前記蓋の底部に固定され、上方向に開口する装着溝を有する支持部材と、前記装着溝内で回転可能に設けられるスクロールと、前記支持部材に水平軸まわりに回転可能に支持されるローラーと、一端が前記スクロールに巻かれ、他端が前記ローラーに掛けられ前記支持部材を貫通し下方向へ延びる紐と、前記スクロールに一回転方向の回転力を付与し、前記スクロールから巻き出された前記紐を巻き取り可能な弾性ユニットと、を有する複数の復元機構と、
前記複数の復元機構の下方向に位置し、水平方向に延びる板状に形成され、上面が前記蓋の前記開口部を通して外部に露出可能、且つ、前記内容器の前記ごみ収容空間を上下方向に往復移動可能に設けられ、前記紐の先端が周縁に接続され、前記蓋の開閉作動時に当該蓋に連動し前記内容器の前記ごみ収容空間を開閉するごみ圧縮ペダルと、
を備えることを特徴とするごみ箱。
【請求項２】
前記外容器は、水平方向の断面形状が長円形または矩形をなし、上部のうち短手方向の一方側に前記蓋との連結に用いる第一連結部を有し、
前記蓋は、前記第一連結部と連結する第二連結部を有することを特徴とする請求項１に記載のごみ箱。
【請求項３】
前記外容器は、底部の短手方向に延びる第１連結棒と、当該第１連結棒の一端と前記蓋とを連結する第２連結棒と、前記底部に一軸心まわりに回動可能に設けられ、回動作動に連動して前記蓋を開閉可能に前記第１連結棒の他端と連結される蓋開閉ペダルと、から構成されるペダル機構を有することを特徴とする請求項２に記載のごみ箱。
【請求項４】
前記外容器は、当該外容器の内壁と前記内容器の外壁との間に形成される空間を外部に連通させる単数または複数の通気孔を有することを特徴とする請求項１に記載のごみ箱。
【請求項５】
前記外容器は、当該外容器の設置平面に吸着可能な吸盤を底面に有することを特徴とする請求項１に記載のごみ箱。
【請求項６】
前記外容器は、上部の周縁から上に延びるように形成された係止部を有し、
前記内容器は、上部の周縁から径外方向へ突き出し、前記外容器の前記係止部に引っ掛け可能なフック部を有することを特徴とする請求項１に記載のごみ箱。
【請求項７】
前記蓋は、前記開口部を塞ぐことができる扉を有することを特徴とする請求項１に記載のごみ箱。
【請求項８】
前記装着溝は、前記スクロールを回転可能に支持する突起状の固定柱を有し、
前記弾性ユニットは、一端が前記固定柱に係止され、他端が前記スクロールに係止される渦巻ばねから構成されることを特徴とする請求項１に記載のごみ箱。
【請求項９】
前記ローラーは、回転軸方向の両端面の中心から突き出す回転軸部を有し、
前記装着溝は、前記ローラーの両方の前記回転軸部を受ける軸受溝部と、前記紐の前記他端が挿通する切欠溝部とを有し、
前記蓋は、前記ローラーに向け下方向へ突き出し、前記ローラーの前記軸受溝部からの抜け出しを規制する突起状固定部を有することを特徴とする請求項１に記載のごみ箱。
【請求項１０】
前記復元機構は、前記蓋の底部に互いに周方向に離間して４つ設けられ、
前記ごみ圧縮ペダルは、前記装着溝の前記切欠溝部の下方向に形成された４つの穿孔を有し、
前記紐の前記他端は、前記穿孔を通じて前記ごみ圧縮ペダルを貫通し、
前記穿孔に下方向から差し込まれる円錐状の小径筒部と、当該小径筒部から下方向へ延び、前記穿孔の外部に露出する大径筒部とを有し、前記紐を前記ごみ圧縮ペダルに固定する固定ユニットをさらに備えることを特徴とする請求項９に記載のごみ箱。
【請求項１１】
前記ごみ圧縮ペダルは、前記紐を前記穿孔から出し入れ可能なようにスリット状の第１上下方向溝を有することを特徴とする請求項１０に記載のごみ箱。
【請求項１２】
前記固定ユニットは、前記紐を出し入れ可能なようにスリット状の第２上下方向溝を有することを特徴とする請求項１０に記載のごみ箱。
【請求項１３】
前記固定ユニットは、前記大径筒部の前記小径筒部とは反対側の開口を塞ぐことで前記紐の末端を抜け出し不能とするキャップを有することを特徴とする請求項１２に記載のごみ箱。
【考案の詳細な説明】
【技術分野】
【０００１】
本考案は、ごみを圧縮可能なごみ箱に関する。
【背景技術】
【０００２】
ごみを圧縮可能な従来のごみ箱は、図６に示すように、外容器６１と、外容器６１内に順に重ねられる内容器６３および制御容器６３とを備える。また、従来のごみ箱は、外容器６１の上部に装着された蓋６４、蓋６４に形成された開口部６５、開口部６５の中に装着されたペダル６６、および、蓋６４の底部に固定された環状の底座６７を備える。底座６７は、径外部に周方向に沿う２つのレール６８と、径内部に周方向に沿う２つのレール６８と、各レール６８内に装着された伸縮スプリング６９とを有する。伸縮スプリング６９は、一端が蓋６４に固定され、他端が紐７０に接続される。紐７０は、レール６８に沿って延び、レール６８に配置されたローラー７１に掛けられ、ペダル６６に連結される。伸縮スプリング６９は、足の踏み込みによってごみ箱の下部まで移動したペダル６６をごみ箱の上部に戻す。
【考案の概要】
【考案が解決しようとする課題】
【０００３】
しかしながら、ごみを圧縮可能な従来のごみ箱では、容器は、３つの容器すなわち外容器６１、内容器６２および制御容器６３から構成されるため、部品点数が多く、構成が複雑になる。また、ローラー７１は、レール６８内で回転可能に設けるためにレール６８内にピン７２を差し込んで固定する必要がある。そのため、組み立てが難しく、組み立て工数が多い。
【０００４】
本考案の目的は、ごみを圧縮可能であり、構成が簡素で組み立てが容易なごみ箱を提供することである。
【課題を解決するための手段】
【０００５】
請求項１に記載の本考案によるごみ箱は、外容器、内容器、蓋、複数の復元機構およびごみ圧縮ペダルを備える。
外容器は、上方向に開口する格納空間を有する。内容器は、上下方向に貫通する筒状に形成され、外容器の格納空間に収容され、内部にごみ収容空間を有する。蓋は、外容器の上部に、内容器のごみ収容空間を開閉可能に装着され、中央に開口部を有する。
復元機構は、支持部材、スクロール、ローラー、紐および弾性ユニットから構成される。支持部材は、上方向に開口する装着溝を有する。スクロールは、装着溝内で回転可能に設けられる。ローラーは、支持部材に水平軸まわりに回転可能に支持される。
【０００６】
紐は、一端がスクロールに巻かれ、他端がローラーに掛けられ支持部材を貫通し下方向へ延びる。弾性ユニットは、スクロールに一回転方向の回転力を付与し、スクロールから巻き出された紐を巻き取り可能である。
ごみ圧縮ペダルは、復元機構の下方向に位置し、水平方向に延びる板状に形成される。また、ごみ圧縮ペダルは、上面が蓋の開口部を通して外部に露出可能、且つ、内容器のごみ収容空間を上下方向に往復移動可能に設けられ、紐の先端が周縁に接続され、蓋の開閉作動時に当該蓋に連動し内容器のごみ収容空間を開閉する。
このようなごみ箱によれば、例えば足でごみ圧縮ペダルを踏み込むことにより、ごみ収容空間に収容されたごみを圧縮可能である。また、構成が簡素で組み立てが容易である。
【図面の簡単な説明】
【０００７】
【図１】本考案の一実施形態によるごみ箱を示す分解斜視図である。
【図２】本考案の一実施形態によるごみ箱の一部を示す分解斜視図である。
【図３】本考案の一実施形態によるごみ箱の上部の断面図である。
【図４】本考案の一実施形態によるごみ箱において外容器に装着された蓋が開けられた使用状態を示す側面図である。
【図５】本考案の一実施形態によるごみ箱においてペダルが踏まれることでごみを圧縮する使用状態を示す断面図である。
【図６】ごみを圧縮可能な従来のごみ箱を示す分解斜視図である。
【図７】ごみを圧縮可能な従来のごみ箱の上部の断面図である。
【考案を実施するための形態】
【０００８】
以下、本考案によるごみ箱を図面に基づいて説明する。
（一実施形態）
図１から図５に示すように、本考案の一実施形態によるごみ箱は、外容器１１、内容器２１、蓋３１およびごみ圧縮ペダル５１等を備える。
【０００９】
外容器１１は、上向きの開口を有しかつごみ袋１０を格納できる格納空間１２と、開口の周縁から上に延びて形成された係止部１３とを有する。外容器１１は、水平方向の断面形状が長円形となるように形成される。外容器１１は、上部の短手方向の一方側に蓋３１との連結に用いる第１連結部１４を有し、底部にペダル機構を有する。ペダル機構の第１連結棒１５の一端は、外容器１１の底部に沿って外容器１１の短手方向の一方から他方まで延びて蓋開閉ペダル１５１に連結される。第１連結棒１５の他端は、第２連結棒１６を介して第１連結部１４に連結されることで蓋３１に接続される。蓋開閉ペダル１５１が踏み込まれることで蓋３１を開けることができる。外容器１１は、内外を連通する複数の通気孔１７を有する。また外容器１１は、外容器１１の設置平面に吸着可能な吸盤１８を底面に有する。
【００１０】
内容器２１は、上端および下端が貫通する筒状に形成され、上部の周縁から径外方向へ突き出すフック部２２を有する。フック部２２は、外容器１１の係止部１３に引っ掛け可能であり、内容器２１が外容器１１内に装着される際、外容器１１中のごみ袋１０の開口部を押さえ、固定することができる。内容器２１は、内部にごみ収容空間２３を有する。内容器２１は、外径が外容器１１の格納空間１２の内径より小さいため、外容器１１の格納空間１２内に格納可能であり、ごみ袋１０を外容器１１の格納空間１２内に広げ、外容器１１の内壁に当接させることができる。
【００１１】
蓋３１は、外容器１１の上部に被せられる。蓋３１は、外容器１１の第１連結部１４と連結する第２連結部３２を有する。蓋３１は、中央に開口部３３を有し、上部に開口部３３を塞ぐ扉３４を有する。蓋３１は、底部に２つの復元機構４１を有する。復元機構４１は、蓋３１の底部に固定された支持部材４８を有する。支持部材４８は、隣り合うように並列配置された第１装着溝４２および第２装着溝４３を有する。第１装着溝４２および第２装着溝４３は、相互に近い一端にスクロール４４の装着に用いる突起状の固定柱４４１を有する。
【００１２】
スクロール４４は、渦巻ばねから構成された弾性ユニット４４２を有する。弾性ユニット４４２は、一端が固定柱４４１に係止され、他端がスクロール４４に形成される。弾性ユニット４４２は、スクロール４４を巻き戻し、復元させることができる。また、スクロール４４には、紐４４３の一端が巻回されている。紐４４３の他端は、ローラー４５に掛けられ、支持部材４８を貫通して下向きに延びる。
ローラー４５は、回転軸方向の両端面の中心から突起して形成された回転軸部４５１を有する。第１装着溝４２および第２装着溝４３は、ローラー４５を回転可能に受ける「軸受溝部」としての十字型の接続溝部４６と、紐４４３が挿通可能な切欠溝部４６１とを有する。
蓋３１は、ローラー４５に対応する位置にローラー４５の外周を囲むように形成された下向きの突起状固定部３５を有する。復元機構４１を蓋３１に組み付けるとき、支持部材４８を蓋３１の底部に固定することでローラー４５も固定することができる。
【００１３】
ごみ圧縮ペダル５１は、水平方向に延びる板状に形成される。ごみ圧縮ペダル５１は、蓋３１の開口部３３内に水平に装着され、復元機構４１の下方向に位置し、かつ内容器２１のごみ収容空間２３内を上下方向に往復移動可能に設けられる。ごみ圧縮ペダル５１は、周縁に４つの切欠溝部４６１に対応するように形成された４つの穿孔５２を有する。下向きに延びる紐４４３は、穿孔５２を通してごみ圧縮ペダル５１を貫通する。穿孔５２は、一側に第１上下方向溝５２１を有する。紐４４３は、第１上下方向溝５２１を通して穿孔５２から出し入れ可能である。ごみ圧縮ペダル５１を貫通する紐４４３の末端には、中空管状の固定ユニット４７が接続される。
【００１４】
固定ユニット４７は、円錐状の小径部４７１および大径部４７２を有する。円錐状の小径部４７１は、穿孔５２に下方向から差し込まれる。大径部４７２は、小径部４７１から下方向に突き出し、穿孔５２の外部に露出する。固定ユニット４７は、紐４４３をごみ圧縮ペダル５１に固定する。
固定ユニット４７は、内外を連通する第２上下方向溝４７３を有する。紐４４３は、後述のキャップ４７４が無い状態で第２上下方向溝４７３を通して固定ユニット４７内から出し入れ可能である。固定ユニット４７は、底部に固定ユニット４７の末端を塞ぐキャップ４７４を有する。紐４４３の末端部は、キャップ４７４によって固定ユニット４７内から抜け出し不能とされる。
【００１５】
図３に示すように、ごみ箱を使用する際、外容器１１の格納空間１２内にごみ袋１０を装着し、ごみ袋１０内に内容器２１を装着することでごみ袋１０を広げ、内容器２１のフック部２２および外容器１１の係止部１３によってごみ袋１０の開口部を固定する。続いて、２つの復元機構４１が装着された蓋３１を外容器１１に被せ、ごみ圧縮ペダル５１と連結する。
図４に示すように、ごみを捨てる際、外容器１１の外側に露出する蓋開閉ペダル１５１を足で踏み込み、その踏み込み操作力を第１連結棒１５および第２連結棒１６で蓋３１に伝達することで蓋３１を上に開ける。これによりごみ箱１０にごみを捨てることができる。外容器１１の吸盤１８は設置平面に吸着することで、ごみ箱を使用する際の安定性を向上させることができる。
【００１６】
ごみを一定量まで溜めた後、図５に示すように、扉３４を開けてごみ圧縮ペダル５１を足で踏み込むことで、ごみ圧縮ペダル５１の底部によってごみを圧縮することができる。このとき膨らんだごみは圧縮され、体積が小さくなるため、ごみ箱はさらに多くのごみを収容することができる。ユーザが足を上げてごみ圧縮ペダル５１に力を加えることをやめると、ごみ圧縮ペダル５１は復元機構４１の復元力により蓋３１の開口部３３の底部の位置に復元する。このとき再びごみ圧縮ペダル５１を踏み、ごみを圧縮することができる。
【００１７】
上述した構造により、本実施形態のごみ箱は以下の効果を達成することができる。
本実施形態のごみ箱は、外容器１１の上部の短手方向の一方側に蓋３１を装着するため、蓋３１を開ける際の重心が比較的に安定し、倒れにくい。また図４に示すように外容器１１の底面に設置平面に吸着する吸盤１８を有するため、使用の際のごみ箱の安定性を確実に向上させることができる。また本実施形態では、外容器１１および内容器２１によって容器が構成され、部品点数が少ないため、製造コストを削減することができる。
【００１８】
また、本実施形態のごみ箱は、外容器１１内にごみ袋１０を装着し、ごみ袋１０内に内容器２１を格納するため、ごみ袋１０が外容器１１の格納空間１２内で広がり、外容器１１の内壁に当接させることができるだけでなく、ごみ圧縮過程でごみ袋がごみに刺され、破れるという事態を避けることができる。また本実施形態では、外容器１１は通気孔１７を有するため、内容器２１によって圧迫されたごみ袋１０を外容器１１の内壁に平坦に当接させることができる。また本実施形態では、外容器１１に収容したごみ袋１０の開口部を内容器２１の上部のフック部２２内に収め、外容器１１の係止部１３によって固定するため、ごみ袋１０の開口部をごみ箱外部に露出することで美観を損なうことが発生しないだけでなく、ごみ袋１０の脱落が発生しにくい。
【００１９】
ごみ圧縮ペダル５１は、人の足によく踏まれるため、汚れが溜まりやすい。従って衛生を保つにはよく解体して洗浄する必要がある。本実施形態のごみ箱では、ごみ圧縮ペダル５１を貫通する紐４３３の末端に連結される固定ユニット４７の大径部４７２は穿孔５２の外部に露出するため、直接固定ユニット４７の大径部４７２に力を加えればごみ圧縮ペダル５１を迅速に取り外すことができる。
【００２０】
また、本実施形態のごみ箱では、ローラー４５は、回転軸方向の両端面の中心から突起して形成された回転軸部４５１を有する。第１装着溝４２および第２装着溝４３は、ローラー４５を回転可能に受ける十字型の接続溝部４６を有する。蓋３１は、ローラー４５に対応する位置にローラー４５の外周を囲むように形成された下向きの突起状固定部３５を有する。復元機構４１を蓋３１に組み付けるとき、支持部材４８を蓋３１の底部に固定することでローラー４５も同時に固定することができる。従って、本実施形態のごみ箱は組み立てが簡単であるだけでなく、組み立ての工数を大幅に減らし、製造コストを削減することができる。
【００２１】
以上、本考案をその好適な実施形態に基づいて説明したが、本考案の保護範囲はこれらの実施例に限定されず、考案の趣旨を逸脱しない範囲において種々の形態で実施可能である。
【符号の説明】
【００２２】
１０：ごみ袋、  １１：外容器、  １２：格納空間、  １３：係止部、  １４：第１連結部、  １５：第１連結棒、  １５１：蓋開閉ペダル、  １６：第２連結棒、  １７：通気孔、  １８：吸盤、  ２１：内容器、  ２２：フック部、  ２３：ごみ収容空間、  ３１：蓋、  ３２：第２連結部、  ３３：開口部、  ３４：扉、  ３５：突起状固定部、  ４１：復元機構、  ４２：第１装着溝、  ４３：第２装着溝、  ４４：スクロール、  ４４１：固定柱、  ４４２：弾性ユニット、  ４４３：紐、  ４５：ローラー、  ４５１：回転軸部、  ４６：接続溝部、  ４６１：切欠溝部、  ４７：固定ユニット、  ４７１：小径部、  ４７２：大径部、  ４７３：第２上下方向溝、  ５２１：第１上下方向溝、  ４７４：キャップ、  ５１：ごみ圧縮ペダル、  ５２：穿孔
【図１】
0003171642.tif 000003
【図２】
0003171642.tif 000004
【図３】
0003171642.tif 000005
【図４】
0003171642.tif 000006
【図５】
0003171642.tif 000007
【図６】
0003171642.tif 000008
【図７】
0003171642.tif 000009